(57)【要約】      （修正有）【課題】照明効果を高めると共に、設計の自由度を確保し、デザイン的にも富んだ照明機能を備えたテーブルを提供する。【解決手段】照明機能を備えたテーブル１は、オブジェクトを収納する収納室５と、当該収納室５の上に配設され光源及び導光板６を用いて照明を行う照明部１７と、当該照明部１７の導光板６から所定長だけ隙間を空けて当該導光板６と平行に配設される平板部７との３層構造からなる机面構成部２と、この机面構成部２を所定高さで支える一対の脚部３と、を具備し、各脚部３は、照明部１７を構成する導光板６を支持する第１の支持部と、平板部７を支持する第２の支持部とを備えている。【選択図】図１
0003179646.tif 000002
【実用新案登録請求の範囲】
【請求項１】
オブジェクトを収納する収納室と、当該収納室の上に配設され光源及び導光板を用いて照明を行う照明部と、当該照明部の前記導光板から所定長だけ隙間を空けて当該導光板と平行に配設される平板部との３層構造からなる机面構成部と、
前記机面構成部を所定高さで支える一対の脚部と、を具備し、
前記各脚部は、前記照明部を構成する前記導光板を支持する第１の支持部と、前記平板部を支持する第２の支持部とを備えていること
を特徴とする照明機能を備えたテーブル。
【請求項２】
前記各脚部には、前記照明部の熱を放出するための開口部が設けられていること
を特徴とする請求項１に記載の照明機能付きテーブル。
【請求項３】
前記平面部は強化ガラスからなること
を特徴とする請求項１に記載の照明機能を備えたテーブル。
【請求項４】
前記光源の光の照度を調光するための調光手段を有すること
を特徴とする請求項１に記載の照明機能を備えたテーブル。
【請求項５】
前記照明部を構成する前記導光板の主面にはドット痕が形成されており、前記光源からの光は当該ドット痕で拡散され照明光となること
を特徴とする請求項１に記載の照明機能を備えたテーブル。
【請求項６】
前記照明部を構成する前記導光板の主面には凹状又は凸状のライン痕が形成されており、前記光源からの光は当該ライン痕で拡散され照明光となること
を特徴とする請求項１に記載の照明機能を備えたテーブル。
【請求項７】
前記収納室は、前記オブジェクトの出し入れを可能とするスライド自在の引き出し部により構成されていること
を特徴とする請求項１に記載の照明機能を備えたテーブル。
【考案の詳細な説明】
【技術分野】
【０００１】
本考案は、例えばＬＥＤ（Light Emitting Diode）光源からの光を照射する照明機能を備えたテーブルに関する。
【背景技術】
【０００２】
従来、オフィスや商談会場等で使用されるテーブルについては、手元照明や全体照明をいかに効率よく行うかが課題とされており、その課題を解決するために種々の技術が提案されている。例えば、特許文献１では、効率的な全体照明を行うオフィス等での使用形態に即したテーブルが提案されている。即ち、このテーブルでは、天板の略全面を照明し得る照明器具を照明指示手段で共通領域の上方に保持している。
【０００３】
一方、照明のためのバックライト装置についても種々の提案がなされている。例えば特許文献２では、超音波加工用ホーンの先端面を導光板用基板の一主面及び他主面の少なくともいずれかに押圧させて加工ドットを反映した反射ドットを形成させ、超音波加工用ホーンを導光板用基板に対して一主面及び他主面の少なくともいずれかの面内で相対的に移動させて反射ドットの形成を繰り返し、導光板用基板の一主面又は他主面の少なくともいずれかの所定範囲に反射ドットを形成した導光板を有するバックライト装置が開示されている。このバックライト装置は、看板等に用いられるものである。
【先行技術文献】
【特許文献】
【０００４】
【特許文献１】特開２００１−０６１５６３号公報
【特許文献１】特開２０１０−２５７８４６号公報
【考案の概要】
【考案が解決しようとする課題】
【０００５】
しかしながら、上記特許文献１に開示されたテーブルでは、照明器具を配設するために支柱や照明指示手段が別途必要となり、また上方から天板の略全面を照明するものであることから設置場所も天板の上方に確保しなければならず、設計にも自由度がない。
【０００６】
その一方で、特許文献２に開示されたような導光板を用いたバックライト装置も提案されてはいるものの、このようなバックライト装置をテーブルの照明のために使用することを開示した先行例は存在しない。
【０００７】
また、一般に、テーブルでは、照明効果を高める場合でもあってもテーブルに本来的に要求されるデザイン性も兼ね備えることが求められている。
【０００８】
そこで、本考案は上述したような技術的な課題に鑑みてなされたもので、照明効果を高めると共に、設計の自由度を確保し、デザイン的にも富んだ照明機能を備えたテーブルを提供することを目的とする。
【課題を解決するための手段】
【０００９】
上述した技術的な課題を解決するために、本考案の一態様に係る照明機能を備えたテーブルは、オブジェクトを収納する収納室と、当該収納室の上に配設され光源及び導光板を用いて照明を行う照明部と、当該照明部の導光板から所定長だけ隙間を空けて当該導光板と平行に配設される平板部との３層構造からなる机面構成部と、机面構成部を所定高さで支える一対の脚部と、を具備し、各脚部は、照明部を構成する導光板を支持する第１の支持部と、平板部を支持する第２の支持部とを備えていることを特徴とする。
【考案の効果】
【００１０】
本考案に係る照明機能を備えたテーブルによれば、照明効果を高めると共に、設計の自由度を確保し、デザイン的にも富んだものとすることが可能となる。
【図面の簡単な説明】
【００１１】
【図１】本考案の一実施形態に係る照明機能を備えたテーブルの斜視図である。
【図２】本考案の一実施形態に係る照明機能を備えたテーブルの正面図である。
【図３】本考案の一実施形態に係る照明機能を備えたテーブルの背面図である。
【図４】本考案の一実施形態に係る照明機能を備えたテーブルの側面図である。
【図５】本考案の一実施形態に係る照明機能を備えたテーブルの上面図である。
【図６】本考案の一実施形態に係る照明機能を備えたテーブルの側面断面図である。
【図７】図６の一部拡大図である。
【図８】本考案の一実施形態に係る照明機能を備えたテーブルの正面断面図である。
【図９】図８の一部拡大図である。
【図１０】本考案の一実施形態に係る照明機能を備えたテーブルの改良例の正面断面図である。
【考案を実施するための形態】
【００１２】
以下、本考案の照明機能を備えたテーブルに係る好適な実施形態について図面を参照しながら説明する。なお、本考案の照明機能を備えたテーブルは、以下の記述に限定されるものではなく、本考案の要旨を逸脱しない範囲において、適宜変更可能である。
【００１３】
図１には本考案の一実施形態に係る照明機能を備えたテーブルの斜視図を示し、図２には当該テーブルの正面図を示し、図３には当該テーブルの背面図を示し、図４には当該テーブルの側面図を示し、図５には当該テーブルの上面図を示し、説明する。
【００１４】
これらの図のうち、特に図１に示されるように、照明機能を備えたテーブル１は、机面構成部２と、当該机面構成部２を所定高さで支える一対の脚部３，４、補強用の支持部１３からなる。そして、机面構成部２は、オブジェクトを収納する収納室５と、当該収納室５の上に配設され光源及び導光板を用いて照明を行う照明部１７と、当該照明部１７の上記導光板から所定長だけ隙間を空けて当該導光板と平行に配設される平板部７との３層構造からなる。脚部３，４は、この例では、内部が一部中空の直方体形状となっている。オブジェクトとしては、人工芝や物品の宣伝用の展示物及び宣伝広告等を敷設することができる。
【００１５】
導光板６には、表裏の少なくとも一方の主面にドット痕がマトリクス状に形成されており、その一側面には、複数のＬＥＤが配列されたＬＥＤユニット、即ち光源１６がソケット１５により固定されている。光源１６は、導光板６の側面にＬＥＤが対向するようにソケット１５により位置決めされている。ドット痕は、導光板６の一主面及び他主面に対面同一で、あるいは所定ピッチずれて形成されてよい。尚、ここでは、ドット痕を形成する例を示したが、これに限定されず、凹状又は凸状のライン痕であってもよい。
【００１６】
図２に示されるように、脚部３の正面には、後述する放熱部（図６の３ｃ）に光源１６の放熱を考慮した通気孔の開口部８が設けられており、更に脚部３の下面には床面に当接する着床部１１が設けられている。この着床部１１は、例えばゴムやプラスチックで構成されており、滑り止めの役割も担っている。この例では、一対の着床部１１を採用しているが、これには限定されない。また、開口部８は、この例では、２つの円形の開口となっているが、これに限定されず、種々の形状を採用することが可能であり、また数も２つには限定されないことは勿論である。
【００１７】
また、図３に示されるように、脚部４の背面には、後述する放熱部（図６の４ｃ）に光源１６の放熱を考慮した通気孔の開口部１０が設けられており、更に脚部４の下面には床面に当接する着床部１２が設けられている。この着床部１２は、例えばゴムやプラスチックで構成されており、滑り止めの役割も担っている。この例では、一対の着床部１２を採用しているが、これには限定されない。また、開口部１０は、この例では、長孔となっているが、これに限定されず、種々の形状を採用することが可能であり、また数も１つには限定されないことは勿論である。
【００１８】
図４に示されるように、机面構成部２の底面部２ｄには、当該底面部２ｄに垂直となるように支持部１３が配設されており、当該支持部１３の両端は、脚部３の内面部３ｄ、脚部４の内面部４ｄにそれぞれ固定されている。即ち、支持部１３は、机面構成部２の底面部２ｄと脚部３の内面部３ｄ、脚部４の内面部４ｄに固定され、机面構成部２に対する脚部３，４の固定を補強する役割を担っている。この例では、机面構成部２の底面部２ｄの略中央に１つの支持部１３を配設する例を示したが、これに限定されず、複数の支持部１３を設けてもよいことは勿論である。
【００１９】
そして、図５に示されるように、机面構成部２の最上層は、一様に平板部７で覆われている。この平板部７は、例えば透明な強化クリアガラス等で構成されているので、その下層にある導光板６を用いた照明部１７からの照射光を透過させ、本テーブル１の机上での手元照明を実現することができる。尚、平板部７は、透明に限定されず、乳白色等、半透明であってもよいことは勿論である。
【００２０】
次に、この考案の一実施形態に係る照明機能を備えたテーブルの内部構造につき詳述する。すなわち、図６には当該テーブルの側面断面図を示し、図７には図６の領域Ａの一部拡大図を示し、図８には当該テーブルの正面断面図を示し、図９には図８の領域Ｂの一部拡大図を示し、内部構造について詳述する。
【００２１】
図６，７に示されるように、脚部３には放熱用の空間、即ち放熱部３ｃが設けられており、当該放熱部３ｃは脚部３の正面に設けられた開口部８と連絡している。更に、放熱部３ｃの脚部３の内面側開口部付近には、平板部７を支持するための支持部材３ａが設けられている。この支持部材３ａは、放熱部３ｃの上面側に設けられており、脚部３の内面よりも内側に突出しており、所定の傾斜をもって、開口部に向けて徐々に開口が大きくなるような工夫もされている。これは、放熱効率を考慮したものである。さらに、放熱部３ｃの下面にあたる支持面３ｂには、照明部１７の導光板６の一端が載せられる。
【００２２】
また、脚部４には放熱用の空間、即ち放熱部４ｃが設けられており、当該放熱部４ｃは脚部４の背面に設けられた開口部１０と連絡している。更に、放熱部４ｃの脚部４の内面側開口部付近には、平板部７を支持するための支持部材４ａが設けられている。この支持部材４ａは、放熱部４ｃの上面側に設けられており、脚部４の内面よりも内側に突出しており、所定の傾斜をもって、開口部に向けて徐々に開口が大きくなるような工夫もされている。これは、放熱効率を考慮したものである。さらに、放熱部４ｃの下面にあたる支持面４ｂには、照明部１７の導光板６の側面に配設された光源１６及びソケット１５が載せられる。
【００２３】
脚部４の下部には、電源制御部１４が配設されている。この電源制御部１４は、外部電源から供給された交流電流を、光源１６のＬＥＤ素子の駆動に適した例えば直流電流に変換するコンバータも概念上含まれている。この電源制御部１４から供給される直流電流は不図示の配線を介して光源１６のＬＥＤ素子に供給される。この例では、更に調光手段９（図８参照）も装備されているので、周囲の環境の併せた照度設定も可能となる。
【００２４】
また、図８，９に示されるように、机面構成部２の内部には、照明部１７の導光板６を載せるために台状となった載置面２ａが設けられている。さらに、机面構成部２の最上面には平板部７を載せるための載置面２ｃが設けられている。そして、机面構成部２の側面はメラミン焼付塗装のＬアングル部材２ｂが貼り付けられており、デザイン性と強度が高められている。
【００２５】
以上説明したように、本考案の一実施形態に係る照明機能を備えたテーブルによれば照明効果を高めると共に、設計の自由度を確保し、デザイン的にも富んだものとすることが可能となる。尚、この考案には、以下のテーブルも概念上含まれる。
【００２６】
即ち、オブジェクトを収納する収納室５と、当該収納室５の上に配設され光源１６及び導光板６を用いて照明を行う照明部１７と、当該照明部１７の上記導光板６から所定長だけ隙間を空けて当該導光板６と平行に配設される平板部７との３層構造からなる机面構成部２と、この机面構成部２を所定高さで支える一対の脚部３，４とを具備し、各脚部３，４は、照明部１７を構成する導光板６を支持する第１の支持部としての支持面３ｂ，４ｂと、平板部７を支持する第２の支持部としての支持部３ａ，４ａを備えていることを特徴とする照明機能を備えたテーブル１が提供される。
【００２７】
この態様によれば、光源１６の光が導光板６で拡散して射出されるので、当該射出光が平板部７を介して照射され、手元照明が確保される。また、収納室５にオブジェクトを収納した場合には、上記導光板６の拡散光が当該オブジェクトに照射されるので、視覚的にも美しい演出が実現される。なお、発光色と収納部のオブジェクト（人工芝など）の色の関係は、補色関係に近い程、視認性が向上する。
【００２８】
ここで、各脚部３，４には、照明部１７の熱を放出するための開口部８，１０が設けられていることを特徴としてもよい。これによれば、光源１６の熱を効率良く放出することができるので発光効率の向上に寄与することが可能となる。
【００２９】
また、平板部７は強化ガラスからなることを特徴としてもよい。これによれば、収納室５に収容されたオブジェクトを視認可能とすると共に、照明部１７の導光板６の拡散光を効率良く手元照明に役立たせることが可能となる。更に、強度も確保されるので、机面に本体的に要求される機能も確保される。
【００３０】
また、光源１６の光の照度を調光するための調光手段９を有することとしてもよい。この場合、周囲の環境に併せた照度設定を可能とすることができる。
【００３１】
また、照明部１７を構成する導光板６の主面にはドット痕が形成されており、光源１６からの光は当該ドット痕で拡散され照明光となることとしてもよい。これによれば、光源１６のＬＥＤの点灯時に加工部分が強調され、視認されるため、デザイン性を高めることが可能となる。尚、ドット痕は、ロゴ、図形、模様等の形状としてもよい。或いは、未加工部分を浮き立たせるようにしてもよい。
【００３２】
また、照明部１７を構成する導光板６の主面には凹状又は凸状のライン痕が形成されており、光源１６からの光は当該ライン痕で拡散され照明光となることとしてもよい。この場合、光源１６のＬＥＤの点灯時に加工部分が強調され、視認されるため、デザイン性を高めることが可能となる。
【００３３】
また、導光板６の一主面及び他主面にドット痕及び凹状又は凸状のライン痕を組み合わせて形成することで、導光板６の上下方向へ光が射出することにより、平板部７の机上から見た場合に収納室５の敷設物と同時にドット痕及びライン痕が照明され、デザイン性の豊かな照明効果が得られる。
【００３４】
以上、本考案の一実施形態に係る照明機能を備えたテーブルを説明したが、本考案はこれに限定されることなく、その主旨を逸脱しない範囲で種々の改良・変更が可能であることは勿論である。例えば、図１０に示されるように、机面構成部２の収納室を引き出し部２０として、オブジェクトの出し入れのためにスライド自在としてもよいことは勿論である。
【符号の説明】
【００３５】
１  照明機能を備えたテーブル
２  机面構成部
２ａ  載置面
２ｂ  Ｌアングル部材
２ｃ  載置面
２ｄ  底面部
３  脚部
３ａ  支持部材
３ｂ  支持面
３ｃ  放熱部
３ｄ  内面部
４  脚部
４ａ  支持部材
４ｂ  支持面
４ｃ  放熱部
４ｄ  内面部
５  収納室
６  導光板
７  平板部
８  開口部
９  調光スイッチ
１０  開口部
１１  着床部
１２  着床部
１３  支持部
１４  電源供給部
１５  ソケット
１６  光源
１７  照明部
２０  引き出し部
【図１】
0003179646.tif 000003
【図２】
0003179646.tif 000004
【図３】
0003179646.tif 000005
【図４】
0003179646.tif 000006
【図５】
0003179646.tif 000007
【図６】
0003179646.tif 000008
【図７】
0003179646.tif 000009
【図８】
0003179646.tif 000010
【図９】
0003179646.tif 000011
【図１０】
0003179646.tif 000012